(57)【要約】【課題】加圧用ガス容器の容器弁の点検をする際の点検時間を短縮し、かつ、点検に掛かる費用を減らす。【解決手段】移動式粉末消火設備１を、消火薬剤を貯蔵する薬剤容器２と、消火薬剤を導出するためのホース３と、消火薬剤を放出させるためのノズル４と、消火薬剤を放出させるために薬剤容器２に接続される加圧用ガス容器５とを備え、薬剤容器２と、ホース３と、ノズル４と、加圧用ガス容器５とは格納箱９に収納され、ホース３と薬剤容器２との接続部分には第一開閉弁３８を設け、ホース３とノズル４との接続部分には第二開閉弁３７を設けたものとし、加圧用ガス容器５と薬剤容器２との間の加圧用ガス流路Ｌ上に設けられ加圧用ガス流路Ｌの開閉状態を切り替える第三開閉弁８と、加圧用ガス流路Ｌの第三開閉弁８よりも加圧用ガス容器５側の部分Ｌａに放出された加圧用ガスを外部に逃す排気手段７０とを設けるものとした。【選択図】図３
2017086398.tif 000002
【特許請求の範囲】
【請求項１】
粉末消火薬剤を貯蔵する薬剤容器と、
前記薬剤容器から前記粉末消火薬剤を導出するための可撓性のホースと、
前記粉末消火薬剤を放出させるためのノズルと、
前記粉末消火薬剤を放出させる圧力を得るために前記薬剤容器に接続される加圧用ガス容器と、を備え、
前記薬剤容器と、前記ホースと、前記ノズルと、前記加圧用ガス容器とは開閉扉付きの格納箱に収納され、
前記ホースと前記薬剤容器との接続部分には第一開閉弁が設けられ、
前記ホースと前記ノズルとの接続部分には第二開閉弁が設けられる移動式粉末消火設備において、
前記加圧用ガス容器と前記薬剤容器との間の加圧用ガス流路上に設けられ、前記加圧用ガス流路の開通状態と閉止状態とを切り替え可能とする第三開閉弁と、
前記加圧用ガス流路の前記第三開閉弁よりも前記加圧用ガス容器側の部分に放出された加圧用ガスを外部に逃す排気手段と、を設けたことを特徴とする移動式粉末消火設備。
【請求項２】
前記排気手段は、前記第三開閉弁と前記薬剤容器との間に配設され外気に開放された排気口を備えており、
前記排気口を閉止して前記第三開閉弁と前記薬剤容器との間の前記加圧用ガス流路を連通させる状態と、前記排気口が開放されることで前記第三開閉弁と前記薬剤容器との間の前記加圧用ガス流路が閉止されている状態と、を切り替え可能とする請求項１に記載の移動式粉末消火設備。
【請求項３】
前記排気手段は、前記第三開閉弁と前記加圧用ガス容器との間に配設され外気に開放された排気口を備える三方弁である請求項１に記載の移動式粉末消火設備。
【請求項４】
前記排気手段は、前記薬剤容器の粉末消火薬剤が充填された充填領域よりも上側の位置に配設され第四開閉弁を介して外気と連通する排気口である請求項１に記載の移動式粉末消火設備。
【発明の詳細な説明】
【技術分野】
【０００１】
本発明は、火災発生時に人がホースを持って火元へ移動し、格納箱に収納された薬剤容器内の粉末消火薬剤を加圧によりホースから放出させることで、火災を消火できる移動式粉末消火設備に関する。
【背景技術】
【０００２】
移動式粉末消火設備は、粉末消火薬剤を貯蔵する薬剤容器と、薬剤容器から粉末消火薬剤を導出するための可撓性のホース（例えば、ホースの根元部分と先端部分とには平常時は閉じられている開閉弁が配設されている。）と、ホースの先端部に設けられ消火薬剤を目的とする場所に向かって放出させるためのノズルとを備えている。また、消火薬剤を放出するための圧力を得るために、薬剤容器には加圧用のガスが入った加圧用ガス容器が併設されており、薬剤容器、ホース、ノズル及び加圧用ガス容器の一式が開閉扉付きの格納箱に収容されている移動式粉末消火設備がある（例えば、特許文献１参照）。
【０００３】
火災の発生に際して、使用者が移動式粉末消火設備を使用する場合には、まず格納箱の扉を開き、加圧用ガス容器のハンドルを回して容器弁を開く。この操作により、加圧用ガス容器からガスが薬剤容器内に流れ込み、薬剤容器内がガスによって加圧される。次いで、ホースの根元側の開閉弁を開くことで、ホース内に粉末消火薬剤と加圧用ガスとが充填される。ホースを火災の発生場所の付近にまで届くように捌いて、ホース先端のノズルを火元へ向けた状態で、ホースとノズルとの接続部分に設けられた開閉弁を開くことで、ノズルから消火薬剤が放出される。
【先行技術文献】
【特許文献】
【０００４】
【特許文献１】特開２００１−２５９０６６号公報
【発明の概要】
【発明が解決しようとする課題】
【０００５】
移動式粉末消火設備は、主に駐車場や航空機格納庫等に設置されている。その特徴は、人が本体ごと持ち運びできる粉末消火器と比べて大容量の薬剤容器と長いホースとを備えることで、広い空間での大規模な火災に対して有用であるということである。そして、使用に際しては、ホースだけを火元付近まで引っ張り、格納箱に固定された薬剤容器から大量に送り込まれる粉末消火薬剤をホースから放出させることで、広い空間で発生した大規模な火災を迅速に消火することができる。
【０００６】
移動式粉末消火設備は、火災発生時に正常に作動するように、６ヶ月ごとに機器点検をし、１年に１回は総合点検を行うことが法令によって定められている。特に加圧用ガス容器の容器弁は、設置から年数が経過したものについては動作不良が起こるケースが実際に存在しており、このような不具合が発生している状態で移動式粉末消火設備を使用すると、消火薬剤の放出に必要な圧力が得られず消火設備としての機能を発揮できない。そのため、容器弁が正常に開閉可能であることの点検等は定期的に行われる必要がある。
【０００７】
この容器弁の点検では、加圧用ガス容器を薬剤容器本体から一度取り外し、加圧用ガス容器の容器弁部のガスの出口を、点検用治具を一時的に取り付けることで塞ぎ、容器弁のハンドルを回して正常に開閉できるか否かの確認を行う。確認作業を終えた後、容器弁のハンドルを回して弁を閉止し、容器弁と点検用治具との間の空間を排圧しながら点検用治具を取り外し、再び加圧用ガス容器を薬剤容器に取り付けて点検を終了する。
【０００８】
ここで、加圧用ガス容器の容器弁の点検においては、一度容器弁の開閉操作を行う必要があるため、加圧用ガス容器内のガスが少量失われることになるが、点検後に消火設備の性能を担保するために必要なガス量が保たれていれば問題はない。そして、移動式粉末消火設備における加圧用ガス容器の内圧や点検可能回数については各メーカーによって許容基準が定められており、基準内圧を下回ったり許容点検回数を越えたりした移動式粉末消火設備については、加圧用ガス容器が新しいものに交換される。
【０００９】
加圧用ガス容器の容器弁の点検は、多くの場合、複数台について同日に行われ、かつ、容器弁の開閉点検以外の様々な確認も同時に行われる。したがって、限られた時間内で点検を終えるために効率的に作業が行われる必要があるが、上記の点検方法のように、一度加圧用ガス容器を薬剤容器本体から取り外して再度取り付けるという作業は手間がかかり効率が悪い。また、専用の点検用治具を準備しなければならず、かつ、点検後に容器弁と点検用治具との間に溜まった高圧ガスを安全に排気する手段を確保する必要があるため、点検に掛かるコスト及び点検時の安全面に問題がある。
【００１０】
したがって、移動式粉末消火設備に備える加圧用ガス容器の容器弁の点検をする際には、容器弁の点検に係る時間を短縮し、かつ、点検に掛かる費用を減らすという課題がある。
【課題を解決するための手段】
【００１１】
上記課題を解決するための本発明は、粉末消火薬剤を貯蔵する薬剤容器と、前記薬剤容器から前記粉末消火薬剤を導出するための可撓性のホースと、前記粉末消火薬剤を放出させるためのノズルと、前記粉末消火薬剤を放出させる圧力を得るために前記薬剤容器に接続される加圧用ガス容器と、を備え、前記薬剤容器と、前記ホースと、前記ノズルと、前記加圧用ガス容器とは開閉扉付きの格納箱に収納され、前記ホースと前記薬剤容器との接続部分には第一開閉弁が設けられ、前記ホースと前記ノズルとの接続部分には第二開閉弁が設けられる移動式粉末消火設備において、前記加圧用ガス容器と前記薬剤容器との間の加圧用ガス流路上に設けられ、前記加圧用ガス流路の開通状態と閉止状態とを切り替え可能とする第三開閉弁と、前記加圧用ガス流路の前記第三開閉弁よりも前記加圧用ガス容器側の部分に放出された加圧用ガスを外部に逃す排気手段と、を設けたことを特徴とする移動式粉末消火設備である。
【００１２】
前記排気手段は、前記第三開閉弁と前記薬剤容器との間に配設され外気に開放された排気口を備えており、前記排気口を閉止して前記第三開閉弁と前記薬剤容器との間の前記加圧用ガス流路を連通させる状態と、前記排気口が開放されることで前記第三開閉弁と前記薬剤容器との間の前記加圧用ガス流路が閉止されている状態と、を切り替え可能とすると好ましい。
【００１３】
または、前記排気手段は、前記第三開閉弁と前記加圧用ガス容器との間に配設され外気に開放された排気口を備える三方弁であると好ましい。
【００１４】
または、前記排気手段は、前記薬剤容器の粉末消火薬剤が充填された充填領域よりも上側の位置に配設され第四開閉弁を介して外気と連通する排気口であると好ましい。
【発明の効果】
【００１５】
本発明に係る移動式粉末消火設備は、加圧用ガス容器と薬剤容器との間の加圧用ガス流路上に設けられ、加圧用ガス流路の開通状態と閉止状態とを切り替え可能とする第三開閉弁と、加圧用ガス流路の第三開閉弁よりも加圧用ガス容器側の部分に放出された加圧用ガスを外部に逃す排気手段とを設けたことで、加圧用ガス容器の容器弁を点検する際に専用の治具を加圧用ガス容器に取り付ける必要がなくなり、また、加圧用ガス容器を薬剤容器から取り外すことなくそのままの状態で点検することが可能になる。よって、点検時間を短縮することができ、かつ、治具代等の費用を削減することができる。さらに、従来の点検作業において生じ得る加圧用ガス容器に対する点検用治具の取り付け時の締め付け不足による事故を防止することできる。
【図面の簡単な説明】
【００１６】
【図１】移動式粉末消火設備の構造を示す正面図である。
【図２】格納箱の開閉扉が閉じられた状態を示す正面図である。
【図３】実施形態１の排気手段の構造を示す側面図である。
【図４】実施形態２の排気手段の構造を示す側面図である。
【図５】実施形態３の排気手段の構造を示す側面図である。
【発明を実施するための形態】
【００１７】
図１に示す移動式粉末消火設備１は、粉末消火薬剤を貯蔵する薬剤容器２と、薬剤容器２から粉末消火薬剤を導出するための可撓性のホース３と、粉末消火薬剤を放出させるためのノズル４と、粉末消火薬剤を放出させる圧力を得るために薬剤容器２に接続される加圧用ガス容器５と、薬剤容器２、ホース３、ノズル４及び加圧用ガス容器５を収納する開閉扉９１付きの格納箱９とを備えている。
【００１８】
図２に示す格納箱９は、薬剤容器２と、ホース３と、ノズル４と、加圧用ガス容器５とを収容することが可能である。例えば、格納箱９は、底板、天板、左右の側板及び背板によって構成され前面が開口した縦長箱形に形成された本体部９０と、前面の開口に蝶番を介して開閉可能に取り付けられている開閉扉９１とを備えている。開閉扉９１の前面上部には表示灯９２が装備されていると共に、その表面の「移動式粉末消火設備」の表示等が施されており、開閉扉９１の前面中部には、使用者が開閉の際に把持する取っ手９３が取り付けられている。開閉扉９１は、使用者が取っ手９３を手前側に引くことで開放される。格納箱９は、格納箱９の重量を支えるための受台９４上に、ボルト等によって縦姿勢で締結固定されている。格納箱９が固定された受台９４は、駐車場の柱間等の床面上にアンカーボルト等で固定される。
【００１９】
図１に示すように、内部に粉末消火薬剤（例えば、ＡＢＣ薬剤）が充填されている薬剤容器２は、格納箱９に対して結合固定されている。薬剤容器２は、十分な耐圧強度を有する有底筒状の本体部２０と、本体部２０の上部に設けられた消火薬剤充填口２１と、消火薬剤充填口２１に取り付けられた開閉可能な蓋部２２と、蓋部２２の近傍に配設された安全弁２３とを備えている。安全弁２３は、薬剤容器２の内部の圧力が異常に上昇した場合に、自動的に圧力を放出させ内部圧力を降下させた後、自動的に閉じるように構成されている。
【００２０】
粉末消火薬剤は、規定量が薬剤容器２に充填されることで、本体部２０のＺ軸方向における所定の位置Ｚ１にまで達している。すなわち、薬剤容器２においては、位置Ｚ１以下の領域が、粉末消火薬剤が充填された充填領域Ａとなる。薬剤容器２においては、移動式粉末消火設備１が使用された後、工具を用いて蓋部２２を開き、消火薬剤充填口２１から規定量の粉末消火薬剤を再度本体部２０に充填することができる。
【００２１】
また、本体部２０の外側面には、ホース３が第一開閉弁３８を介して接続される消火薬剤導出口２８と、加圧用ガス容器５が加圧用ガス流路Ｌを介して接続される加圧用ガス導入口２９とが、それぞれ開口している。さらに、本体部２０の外側面には、内部にクリーニング用ガス（例えば、二酸化炭素ガス）が充填されたクリーニング用ガス容器２６が、結束バンド等を用いて結束固定されている。クリーニング用ガス容器２６は、移動式粉末消火設備１が使用されることで粉末消火薬剤が導出されたホース３を、ガスクリーニングするために用いられる。
【００２２】
ホース３は、例えば、塩化ビニル等の樹脂からなり、可撓性を備え、所定の長さ（例えば、２０ｍ）に形成されている。ホース３は、格納箱９内の背板上部から開閉扉９１に向かって突設されたホース架９９にかけられ、ねじれ等のくせをつけないように八の字巻きに巻かれた状態で収納されている。
【００２３】
ホース３の一端３０は、第一開閉弁３８を介して薬剤容器２の消火薬剤導出口２８に接続されている。ホース３のもう一端３１は、第二開閉弁３７を介してノズル４に接続されている。
【００２４】
第一開閉弁３８は、常時（消火時以外）においては閉じられた状態になっており、例えば、ボール弁であるが、これに限定されるものではなく、グローブ弁、ゲート弁又はバタフライ弁等であってもよい。第一開閉弁３８は、手動開閉式であり、使用者が把持して上下動させる操作レバー３８０を備えている。操作レバー３８０が、例えば、引き上げられた状態（引き手が水平方向を向いた状態）においては、第一開閉弁３８は閉状態となり、引き下げられた状態（引き手が鉛直方向を向いた状態）においては、第一開閉弁３８は開状態となる。
【００２５】
第二開閉弁３７は、例えば、ボール弁であるが、これに限定されるものではなく、グローブ弁、ゲート弁又はバタフライ弁等であってもよい。第二開閉弁３７は、常時（消火時以外）においては閉じられた状態になっており、例えば、蝶ハンドル３７０を回すことで弁が開閉され、その先端にはノズル４が接続されている。
【００２６】
加圧用ガス容器５は、その内部に加圧用ガス（例えば、二酸化炭素ガス）が充填されており、薬剤容器２内に加圧用ガスを供給して加圧状態にするために用いられる。加圧用ガス容器５は、薬剤容器２の外側面に固定されており、十分な耐圧強度をそなえる略円筒状のガス容器本体５０と、ガス容器本体５０の上部に取り付けられているガス容器弁５１とを備えている。ガス容器本体５０は、有底筒状の本体部の上部にガス容器弁５１が取り付けられる口部が一体形成されている。
【００２７】
ガス容器弁５１は、例えば、ゲート弁であるが、これに限定されるものではなく、グローブ弁、ボール弁又はバタフライ弁等であってもよい。ガス容器弁５１は、使用者が把持して回転させるハンドル部５１０と、加圧用ガスが排出されるガス出口５１１とを備えている。使用者がハンドル部５１０を水平面内で回転させてスピンドルを回動させると、これに伴い弁がＺ軸方向に上下動することで、ガス容器弁５１の開閉が行われる。また、ガス容器弁５１は、加圧用ガス容器５の内部の圧力が異常に上昇した場合に、自動的に圧力を放出させ内部圧力を降下させるとともに自動的に閉じる安全弁５１２が備えられている。
【００２８】
ガス出口５１１は、薬剤容器２の外側面に設けられた加圧用ガス導入口２９に加圧用ガス流路Ｌを介して接続される。したがって、加圧用ガス容器５と薬剤容器２とは、加圧用ガス流路Ｌを介して連通する。加圧用ガス流路Ｌは、所定の長さに形成されたパイプ管等であり、加圧用ガス容器５のガス出口５１１に接続された流路端Ｌ１と、薬剤容器２の加圧用ガス導入口２９に接続された流路端Ｌ２とを備えている。
【００２９】
加圧用ガス流路Ｌ上には、加圧用ガス流路Ｌの開通状態と閉止状態とを切り替え可能とする第三開閉弁８が設けられている。第三開閉弁８は、点検時以外においては開かれた状態になっており、例えば、ボール弁であるが、これに限定されるものではなく、グローブ弁、ゲート弁又はバタフライ弁等であってもよい。第三開閉弁８は、手動開閉式であり、使用者が把持して上下動させる操作レバーにより、弁の開閉を行うことが可能となっている。
【００３０】
以下に、移動式粉末消火設備１に備えられ、加圧用ガス流路Ｌの第三開閉弁８よりも加圧用ガス容器５側の部分に放出された加圧用ガスを外部に逃す排気手段についての、各実施形態について説明する。
【００３１】
（実施形態１）
図３に示す排気手段７０は、例えば、第三開閉弁８と薬剤容器２との間に配設され外気に開放された排気口７００と、排気手段７０内の流路を切り替えるための操作レバー７０１とを備えており、三方弁としての機能を有している。加圧用ガス容器５のガス容器弁５１の点検後に加圧用ガス流路Ｌの第三開閉弁８よりも加圧用ガス容器５側の部分に放出された加圧用ガスを排出する時においては、操作レバー７０１により排気口７００が開放されることで、第三開閉弁８と薬剤容器２との間の加圧用ガス流路Ｌが閉止されている状態となる。点検時以外においては、操作レバー７０１により排気口７００が閉止されることで、第三開閉弁８と薬剤容器２との間の加圧用ガス流路Ｌを連通させる状態となる。
【００３２】
（実施形態２）
図４に示す排気手段７１は、例えば、第三開閉弁８と加圧用ガス容器５との間に配設された排気口７１０を備える三方弁である。排気手段７１は、第三開閉弁８と加圧用ガス容器５との間に配設され外気に開放された排気口７１０と、排気手段７１内の流路を切り替えるための操作レバー７１１とを備えている。加圧用ガス容器５のガス容器弁５１の点検後に加圧用ガス流路Ｌの第三開閉弁８よりも加圧用ガス容器５側の部分に放出された加圧用ガスを排出する時においては、操作レバー７１１により排気口７１０が開放される状態となる。点検時以外においては、操作レバー７１１により排気口７１０が閉止されることで、第三開閉弁８と加圧用ガス容器５との間の加圧用ガス流路Ｌを連通させる状態となる。
【００３３】
（実施形態３）
図５に示す排気手段７２は、例えば、薬剤容器２の粉末消火薬剤が充填された充填領域Ａよりも上側の位置Ｚ２に配設され第四開閉弁７２０を介して外気と連通する排気口である。図示の例における第四開閉弁７２０は、例えば、操作レバー７２０ａを手動で開閉することで閉状態と開状態とを切り替えることができる構成となっているが、これに限定されるものではなく、レバー式のボール弁、ゲート弁、グローブ弁又はバタフライ弁等であってもよい。また、第四開閉弁７２０は、例えば接続導管を介して第一開閉弁３８の２次側に接続されてもよく、この場合、加圧用ガス流路Ｌの第三開閉弁８よりも加圧用ガス容器５側の部分に放出された加圧用ガスは、第四開閉弁７２０から直接ではなく、ホース３を介してノズル４から外気へと排出される。
【００３４】
以下に、図３を用いて、実施形態１の排気手段７０を備える移動式粉末消火設備１において、加圧用ガス容器５の点検を行う場合の方法及び移動式粉末消火設備１の各構成の動作について説明する。
【００３５】
加圧用ガス容器５の点検においては、まず、点検時以外においては開かれた状態となっている第三開閉弁８を閉止する。次いで、加圧用ガス容器５のハンドル部５１０を回転させてガス容器弁５１を開放することで、加圧用ガス容器５のガス容器弁５１が正常に開閉するかの点検を行う。ここで、ガス容器弁５１が開放されることで、加圧用ガス容器５から放出された加圧用ガスが加圧用ガス流路Ｌに流れ込み、閉状態の第三開閉弁８によって止められる。すなわち、加圧用ガス流路Ｌの第三開閉弁８よりも加圧用ガス容器５側の部分Ｌａに、加圧用ガスが放出されて溜められる。
【００３６】
点検者が、加圧用ガス容器５のガス容器弁５１が正常に開閉するかの点検を行った後、ガス容器弁５１を閉じるとともに、操作レバー７０１により排気手段７０の排気口７００を開放させる。次いで、第三開閉弁８を開状態に戻すことで、加圧用ガス流路Ｌの第三開閉弁８よりも加圧用ガス容器５側の部分Ｌａに溜まっていた加圧用ガスが排気口７００から排出される。
【００３７】
加圧用ガス流路Ｌの第三開閉弁８よりも加圧用ガス容器５側の部分Ｌａに溜まっていた加圧用ガスが排気口７００から全て排出された後、排気手段７０の排気口７００を再び閉止状態に戻すことで、移動式粉末消火設備１全体が通常の火災監視状態に復旧される。
【００３８】
実施形態１の排気手段７０を備える移動式粉末消火設備１は、加圧用ガス容器５と薬剤容器２との間の加圧用ガス流路Ｌ上に設けられ、加圧用ガス流路Ｌの開通状態と閉止状態とを切り替え可能とする第三開閉弁８と、加圧用ガス流路Ｌの第三開閉弁８よりも加圧用ガス容器５側の部分Ｌａに放出された加圧用ガスを外部に逃す排気手段７０とを備え、排気手段７０は、第三開閉弁８と薬剤容器２との間に配設され外気に開放された排気口７００を備えるものとしたことで、加圧用ガス容器５のガス容器弁５１が正常に開閉するかについての点検する際に、専用の治具を加圧用ガス容器５に取り付けずに、かつ、加圧用ガス容器５を薬剤容器２から取り外すことなくそのままの状態で点検することが可能になる。よって、点検時間を短縮することができ、かつ、治具代等の費用を削減することができる。さらに、専用の治具を取り付けずに点検することが可能であるため、従来の点検作業において生じ得る加圧用ガス容器５に対する点検用治具の取り付け時の締め付け不足等による事故を防止することできる。
【００３９】
以下に、図４を用いて、実施形態２の排気手段７１を備える移動式粉末消火設備１において、加圧用ガス容器５の点検を行う場合の方法及び移動式粉末消火設備１の各構成の動作について説明する。
【００４０】
加圧用ガス容器５の点検においては、まず、点検時以外においては開かれた状態となっている第三開閉弁８を閉止する。次いで、加圧用ガス容器５のハンドル部５１０を回転させてガス容器弁５１を開放することで、加圧用ガス容器５のガス容器弁５１が正常に開閉するかの点検を行う。ここで、ガス容器弁５１が開放されることで、加圧用ガス容器５から放出された加圧用ガスが加圧用ガス流路Ｌに流れ込み、排気手段７１を通過した後、閉状態の第三開閉弁８によって止められる。すなわち、加圧用ガス流路Ｌの第三開閉弁８よりも加圧用ガス容器５側の部分Ｌｂに、加圧用ガスが放出され溜められる。
【００４１】
点検者が、加圧用ガス容器５のガス容器弁５１が正常に開閉するかの点検を行った後、ガス容器弁５１を閉じるとともに、操作レバー７１１により排気手段７１の排気口７１０を開放させる。そして、加圧用ガス流路Ｌの第三開閉弁８よりも加圧用ガス容器５側の部分Ｌｂに溜まっていた加圧用ガスが排気口７１０から排出される。
【００４２】
加圧用ガス流路Ｌの第三開閉弁８よりも加圧用ガス容器５側の部分Ｌｂに溜まっていた加圧用ガスが排気口７１０から全て排出された後、排気手段７１の排気口７１０を再び閉止状態に戻し、また、第三開閉弁８を開状態に戻すことで、移動式粉末消火設備１全体が通常の火災監視状態に復旧される。
【００４３】
実施形態２の排気手段７１を備える移動式粉末消火設備１は、加圧用ガス容器５と薬剤容器２との間の加圧用ガス流路Ｌ上に設けられ、加圧用ガス流路Ｌの開通状態と閉止状態とを切り替え可能とする第三開閉弁８と、加圧用ガス流路Ｌの第三開閉弁８よりも加圧用ガス容器５側の部分Ｌｂに放出された加圧用ガスを外部に逃す排気手段７１とを備え、排気手段７１を、第三開閉弁８と加圧用ガス容器５との間に配設され外気に開放された排気口７１０を備える三方弁とすることで、加圧用ガス容器５のガス容器弁５１が正常に開閉するかについての点検する際に、専用の治具を加圧用ガス容器５に取り付けずに、かつ、加圧用ガス容器５を薬剤容器２から取り外すことなくそのままの状態で点検することが可能になる。よって、点検時間を短縮することができ、かつ、治具代等の費用を削減することができる。さらに、専用の治具を取り付けずに点検することが可能であるため、従来の点検作業において生じ得る加圧用ガス容器５に対する点検用治具の取り付け時の締め付け不足等による事故を防止することできる。
【００４４】
以下に、図５を用いて、実施形態３の排気手段７２を備える移動式粉末消火設備１において、加圧用ガス容器５の点検を行う場合の方法及び移動式粉末消火設備１の各構成の動作について説明する。
【００４５】
加圧用ガス容器５の点検においては、まず、点検時以外においては開かれた状態となっている第三開閉弁８を閉止する。次いで、加圧用ガス容器５のハンドル部５１０を回転させてガス容器弁５１を開放することで、加圧用ガス容器５のガス容器弁５１が正常に開閉するかの点検を行う。ここで、ガス容器弁５１が開放されることで、加圧用ガス容器５から放出された加圧用ガスが加圧用ガス流路Ｌに流れ込み、閉状態の第三開閉弁８によって止められる。すなわち、加圧用ガス流路Ｌの第三開閉弁８よりも加圧用ガス容器５側の部分Ｌｃに、加圧用ガスが放出され溜められる。
【００４６】
点検者が、加圧用ガス容器５のガス容器弁５１が正常に開閉するかの点検を行った後、ガス容器弁５１を閉じるとともに、操作レバー７２０ａを開いて第四開閉弁７２０を開放させる。そして、第三開閉弁８を再び開状態に戻すことで、加圧用ガス流路Ｌの第三開閉弁８よりも加圧用ガス容器５側の部分Ｌｃに溜まっていた加圧用ガスが、薬剤容器２内部に流入していく。ここで、薬剤容器２の本体部２０の外側面に第一開閉弁３８を介して接続されているホース３には、第一開閉弁３８が閉状態であることから粉末消火薬剤は流入せず、加圧用ガスのみが薬剤容器２の本体部２０内を上昇して第四開閉弁７２０から排出される。また、第四開閉弁７２０は、例えば接続導管を介して第一開閉弁３８の２次側に接続されてもよく、この場合、加圧用ガス流路Ｌの第三開閉弁８よりも加圧用ガス容器５側の部分に放出された加圧用ガスは、第四開閉弁７２０から直接ではなく、ホース３を介してノズル４から外気へと排出される。このとき、第一開閉弁３８は閉状態であることから、排出される加圧用ガスは消火薬剤導出口２８には流入しない。
【００４７】
加圧用ガス流路Ｌの第三開閉弁８よりも加圧用ガス容器５側の部分Ｌｃに溜まっていた加圧用ガスが第四開閉弁７２０から全て排出された後、操作レバー７２０ａを閉めて排気手段７２を再び閉止状態に戻すことで、移動式粉末消火設備１全体が通常の火災監視状態に復旧される。
【００４８】
実施形態３の排気手段７２を備える移動式粉末消火設備１は、加圧用ガス容器５と薬剤容器２との間の加圧用ガス流路Ｌ上に設けられ、加圧用ガス流路Ｌの開通状態と閉止状態とを切り替え可能とする第三開閉弁８と、加圧用ガス流路Ｌの第三開閉弁８よりも加圧用ガス容器５側の部分Ｌｃに放出された加圧用ガスを外部に逃す排気手段７２とを備え、排気手段７２を、薬剤容器２の粉末消火薬剤が充填された充填領域Ａよりも上側の位置Ｚ２に配設され第四開閉弁７２０を介して外気と連通する排気口とすることで、加圧用ガス容器５のガス容器弁５１が正常に開閉するかについての点検する際に、専用の治具を加圧用ガス容器５に取り付けずに、かつ、加圧用ガス容器５を薬剤容器２から取り外すことなくそのままの状態で点検することが可能になる。よって、点検時間を短縮することができ、かつ、治具代等の費用を削減することができる。さらに、専用の治具を取り付けずに点検することが可能であるため、従来の点検作業において生じ得る加圧用ガス容器５に対する点検用治具の取り付け時の締め付け不足による事故を防止することできる。
【００４９】
なお、本発明に係る移動式粉末消火設備１は上記実施形態に限定されるものではなく、また、添付図面に図示されている各構成の大きさや形状等についても、これに限定されず、本発明の効果を発揮できる範囲内で適宜変更可能である。
【符号の説明】
【００５０】
１：移動式粉末消火設備
２：薬剤容器  ２０：本体部  ２１：消火薬剤充填口  ２２：蓋部  ２３：安全弁  
２８：消火薬剤導出口  ２９：加圧用ガス導入口  ２６：クリーニング用ガス容器  
Ｚ１：位置  Ａ：充填領域
３：ホース  
３８：第一開閉弁  ３８０：操作レバー  ３７：第二開閉弁  ３７０：蝶ハンドル
４：ノズル
５：加圧用ガス容器  ５０：ガス容器本体  ５１：ガス容器弁  ５１０：ハンドル部  
５１１：ガス出口  ５１２：安全弁
９：格納箱  ９０：本体部  ９１：開閉扉  ９２：表示灯  ９３：取っ手  ９４：受台
９９：ホース架
８：第三開閉弁
Ｌ：加圧用ガス流路  Ｌ１：流路端  Ｌ２：流路端  
７０：排気手段  ７００：排気口  ７０１：操作レバー  
７１：排気手段  ７１０：排気口  ７１１：操作レバー
７２：排気手段  ７２０：第四開閉弁  ７２０ａ：操作レバー
【図１】
2017086398.tif 000003
【図２】
2017086398.tif 000004
【図３】
2017086398.tif 000005
【図４】
2017086398.tif 000006
【図５】
2017086398.tif 000007